(57)【要約】【目的】本発明は、標識を掲示しながら道路を走行して各種の作業を行う作業車から投下して作業中であることを知らせるための火を使わない発煙方法及びその発煙方法に用いる発煙筒に関する。【構成】筒型容器（１）の中に高さ方向の所定個所に複数の給水孔（３）をあけた内筒（２）を起立させ、その周囲に酸化カルシウムに炭水化物粉体を混合してなる発煙剤（６）を充填し、前記内筒の中に水入り袋体（４）を収納して底部（４１）を筒型容器の内底（１１）に固着し、筒型容器の上部に上蓋（７）を被せると共に、当該上蓋にあけた穴（８）から内筒に収納した水入り袋体（４）の上端部の引き手（４２）を突出させたことを特徴とする火を使わない発煙筒の構成。【選択図】　　　図１
2004123447.tif 000002
【特許請求の範囲】
【請求項１】
筒型容器（１）の中央部に起立した複数の給水孔（３）付きの内筒（２）の中にその底部近傍に切開促進用切込み（５）を入れた水入り袋体（４）を収納すると共に、その底部（４１）を筒型容器の内底（１１）に固着し、且つ当該内筒を除く筒型容器内に酸化カルシウムに炭水化物粉体を混合してなる発煙剤（６）を充填した後、上蓋（７）で容器開口部を塞ぎ、前記の水入り袋体（４）の上端部の引き手（４２）を強く引き抜くことによって当該水入り袋体が底部近傍の切込み（５）から破れて排出した水（ｗ）が内筒（２）の複数の給水孔（３）から発煙剤（６）の充填層に供給され、当該発煙剤に水（ｗ）が加わることによって、煙発生作用が生じ、水入り袋体（４）を抜き取った後の内筒（２）を通って上昇し、内筒開口（２′）から発煙するようにした火を使わない発煙方法。
【請求項２】
筒型容器（１）の中央部に起立した複数の給水孔（３）付きの内筒（２）の中に水入り袋体（４）を収納すると共に、その底部（４１）を筒型容器の内底（１１）に固着し、且つ孔開け針（９）をその先端部（９１）を内筒下部の挿通小孔（３１）に係止し、上端部の引き手（４２）を筒型容器開口付近に位置させておき、当該内筒を除く筒型容器内に酸化カルシウムに炭水化物粉体を混合してなる発煙剤（６）を充填した後、上蓋（７）で容器開口部（１′）を塞ぎ、前記の孔開け針（９）を押し下げて針先端部（９１）で水入り袋体（４）の底部近傍を突き刺して孔を開けて水（ｗ）を排出すると共に、上端部の引き手（４２）を強く引き抜くことによって当該水入り袋体に突き刺した孔開け針（９）の引っ掛かりによって破れて排出した水（ｗ）が内筒（２）の複数の給水孔（３１）から発煙剤（６）の充填層に供給され、当該発煙剤に水が加わることによって、煙発生作用が生じ、水入り袋体（４）を抜き取った後の内筒（２）を通って上昇し、内筒の開口（２′）から発煙するようにした火を使わない発煙方法。
【請求項３】
筒型容器（１）の中に高さ方向の所定個所に複数の給水孔（３）をあけた内筒（２）を起立させ、その周囲に酸化カルシウムに炭水化物粉体を混合してなる発煙剤（６）を充填し、前記内筒の中に水入り袋体（４）を収納して底部（４１）を筒型容器の内底（１１）に固着し、筒型容器の上部に上蓋（７）を被せると共に、当該上蓋にあけた穴（８）から内筒に収納した水入り袋体（４）の上端部の引き手（４２）を突出させたことを特徴とする火を使わない発煙筒。
【請求項４】
筒型容器（１）の中に高さ方向の所定個所に複数の給水孔（３）をあけた内筒（２）を起立させ、その周囲に酸化カルシウムに炭水化物粉体を混合してなる発煙剤（６）を充填し、前記内筒の中に水入り袋体（４）を収納すると共にその底部（４１）を筒型容器の内底（１１）に固着し、筒型容器の上部に上蓋（７）を被せると共に、当該上蓋にあけた穴（８）から水入り袋体（４）の上端部の引き手（４２）を突出させておき、且つ発煙剤（６）内に埋没している押し込みできる孔開け針（９）の先端部（９１）を内筒に設けた挿通小孔（３１）に挿入係止して水入り袋体（４）に密着しないように接近させ、孔開け針上端部（９２）を上蓋の穴（１０）から突出させたことを特徴とする火を使わない発煙筒。
【発明の詳細な説明】
【０００１】
【発明が属する技術分野】
本発明は、標識を掲示しながら道路を走行して各種の作業を行う作業車から投下して作業中であることを知らせるために、又は火事等に備える避難訓練において用いるための火を使わない発煙方法及びその発煙方法に用いる発煙筒に関するものである。
【０００２】
【従来の技術】
一般に、高速道路での交通事故処理又は道路補修や清掃作業を行うのに、その現場において後続の走行車両に注意を喚起して事故防止のために、複数の発煙筒を適宜の間隔で発火投下することが行われている。
【０００３】
また、大勢の買い物客が出入りするデパートや大型スーパー、ビジネス街のビル等において、火事や地震に備える避難訓練が行われる際にも発火式の発煙筒が使用されることがある。
【０００４】
【発明が解決しようとする課題】
ところが、従来の発火した発煙筒を投下して発煙させる方式にあっては、その取り扱いにかなりの注意を必要とすると共に、火炎によって火災や火傷の危険をはらんでいると共に、路面を火炎と煙で路面を汚すことがあり環境上好ましくなかった。
【０００５】
また、デパートや大型スーパー、ビジネス街のビル等にあっては、建物全体としては閉鎖されている空間であるため、発火式発煙筒では、人体に有害な影響を与えることになる。
その理由は次の通りである。従来の発火式発煙筒は、酸化亜鉛、６塩化エタン、セルロースナイトレート等の火薬類を用いていて発火の際、塩化水素（塩酸）、酸化窒素等の酸化物を発生するため、これを吸った発煙筒の使用者はもとより避難訓練等に参加している人々は刺激臭、胸痛、めまい等の症状を訴えることがあった。
【０００６】
【課題を解決するための手段】
そこで本発明は、従来の課題を解決し、且つ当該発明の目的を達成するために提供するものである。
【０００７】
本発明の第１は火を使わない発煙方法において、筒型容器の中央部に起立した複数の給水孔付きの内筒の中にその底部近傍に切開促進用切込みを入れた水入り袋体を収納すると共に、その底部を筒型容器の内底に固着し、且つ当該内筒を除く筒型容器内に酸化カルシウムに炭水化物粉体を混合してなる発煙剤を充填し、前記の水入り袋体の上端部の引き手を強く引き抜くことによって当該水入り袋体が底部近傍の切込みから破れて排出した水が内筒の複数の孔から発煙剤に供給され、当該発煙剤に水が加わることによって、煙発生作用が生じ、水入り袋体を抜き取った後の内筒を通って上昇し、内筒開口から発煙するようにしたものである。
【０００８】
本発明の第２は火を使わない発煙方法において、筒型容器の中央部に起立した複数の給水孔付きの内筒の中に水入り袋体を収納すると共に、その底部を筒型容器の内底に固着し、且つ孔開け針をその先端部を内筒下部の挿通小孔に係止し、上端部位を筒型容器開口付近に位置させておき、当該内筒を除く筒型容器内に酸化カルシウムに炭水化物粉体を混合してなる発煙剤を充填し、前記の孔開け針を押し下げて針先端部で水入り袋体の底部近傍を突き刺して孔を開けて水を排出すると共に、上端部の引き手を強く引き抜くことによって当該水入り袋体に突き刺した孔開け針の引っ掛かりによって破れて排出した水が内筒の複数の孔から発煙剤に供給され、当該発煙剤に水が加わることによって、煙発生作用が生じ、水入り袋体を抜き取った後の内筒を通って上昇し、内筒開口から発煙するようにしたものである。
【０００９】
本発明の第３は火を使わない発煙筒において、筒型容器の中に高さ方向の所定個所に複数の給水孔をあけた内筒を起立させ、その周囲に酸化カルシウムに炭水化物粉体を混合してなる発煙剤を充填し、前記内筒の中に水入り袋体を収納して底部を筒型容器の内底に固着し、筒型容器の上部に上蓋を被せると共に、当該上蓋にあけた穴から水入り袋体の上端部の引き手を突出させたものである。
【００１０】
本発明の第４は火を使わない発煙筒において、筒型容器の中に高さ方向の所定個所に複数の給水孔をあけた内筒を起立させ、その周囲に酸化カルシウムに炭水化物粉体を混合してなる発煙剤を充填し、前記内筒の中に水入り袋体を収納しすると共にその底部を筒型容器の内底に固着し、筒型容器の上部に上蓋を被せると共に、当該上蓋にあけた穴から内筒内の水入り袋体の上端部の引き手を突出させておき、且つ発煙剤の充填層内に埋没している押し込みできる孔開け針の先端部を内筒に設けた挿通小孔に挿入係止して水入り袋体に密着しないように接近させ、孔開け針上端部を上蓋の孔から突出させたものである。
【００１１】
【実施例】
次に本発明の実施例を図面を以って説明する。１は円筒形又は多角形等任意の筒型を成す容器、２は筒型容器の中の略中央位置に起立させた内筒であり、その高さ方向の所定個所に複数の給水孔３をあけてある。４は前記内筒の中に収納できるように細長に形成したポリエチレン樹脂製水入り袋体であり、その底部４１を筒型容器の内底１１に強力ボンドなどの接着剤ｂを介して固着してある。５は水入り袋体４の底部近傍に形成した切込みであり、その深さは前記袋体４の底部４１を容器内底１１に固着した袋体４を適度の力で引き抜くと容易に破れる程度の切込み深さに設定してある。
【００１２】
６筒型容器１内と内筒２の周囲に酸化カルシウムに炭水化物粉体を混合して充填した発煙剤であり、これを容器１内に充填することによって、内筒２を起立保持している。
【００１３】
発煙剤６を製造するための配合割合を示すと次の通りである。すなわち、「水」を２５ｇで入れた外容器に、「酸化カルシウム」６０ｇに、炭水化物粉体として「小麦粉」１０ｇを加えて混合したものを内容器に入れ、且つその内容器の底に小孔を５個所開け、その内容器を外容器の内底に置き、内容器の底から水が浸入し、前記酸化カルシウムと炭水化物粉体とによる発煙剤層に浸透する構造とした。これは、製品化の構造とほぼ似たものとし、実用化に近づけるためである。これによって、水が発煙剤の充填層に浸透してから１分後には２７０°Ｃ程度の発熱最高温度が得られた。また、発熱温度が１５０°以上では約５分間持続した。
【００１４】
７は筒型容器１内の上部に被せた上蓋であり、その中央部に水入り袋体４の上端部の引き手４２を外方に突出させておくための孔８をあけ、また、孔開け針の上端部位の挿通孔１０をあけてある。
【００１５】
９は筒型容器１内に充填した発煙剤６の充填層に埋没してある状態の孔開け針であり、その先端部９１は内筒２にあけた挿通小孔３′に挿入係止して水入り袋体４に密着しないように接近させてある。また、孔開け針の上端部９２は上蓋７の挿通孔１０に挿通して上方に突出させてある。１１は筒型容器１の開口部を塞ぐ外蓋である。
【００１６】
【具体的な製造工程例】
本発明に係る火を使わない発煙筒の製造工程は次のとおりである。
「製造例１」
（１）　　所定個所に複数の孔３をあけてある内筒２の中に水入り袋体４を挿通し、且つ底部近傍に切込み５を入れてある水入りの袋体の底部４１を内筒下端から引き出して筒型容器１の内底１１に強力ボンド等の接着剤ｂを塗布して固着する。
（２）　　水入り袋体入りの内筒２を下方に引き下げて筒型容器１内の中央位置に内筒２を起立させる。この場合、必要に応じて内筒下端に接着剤で固着しておく。
（３）　　筒型容器１内に酸化カルシウムに炭水化物粉体を混合してなる発煙剤を充填する。
（４）　　上蓋７を筒型容器１の開口内から内筒の上端まではめ込んで固定する。このとき、水入り袋体４の上端部位の引き手４２は穴８から挿通して外方に突出させ、且つ孔開け針に上端部も挿通孔１０に通して上方に突出させておく。この場合、引き手４２の外形が穴８より大きいときは、柔軟な引き手を縦中心線を境に２つ折りにするように撓めて挿通する。
（５）　　不使用時や保管時は、外蓋を筒型容器の開口部に被せておく。
【００１７】
「製造例２」
（１）　「製造例１」の（１）と同じ。
（２）　「製造例１」の（２）と同じ。
（３）　孔開け針９の先端部９１を内筒２の下部の挿通小孔３′に挿入して且つその先端が水入り袋体４に密着しないようにように当該小孔に係止しておく。また、孔開け針の脱着できる摘み付き上端部９２は筒型容器１の開口縁部に位置させておく。
（４）　　「製造例１」の（３）と同じ。
（５）　　孔開け針９が発煙剤６の充填層内に埋没した状態になるが、当該孔開け針を少なくとも１．０ｃｍ前後は押圧によって先端部９１が挿通小孔３′から内径方向に前進できるようになっている。
（５）　　「製造例１」の（４）と同じ。
（６）　　孔開け針９の上端部９２を上蓋７の挿通孔１０に通して上方に突出させておく。
（７）　　「製造例１」の（５）と同じ。
【００１８】
【具体的な使用例】
上記の製造工程例に基づく発煙筒の使用例を説明する。
「使用例１」
（１）　　筒型容器１から外蓋１２をはずして、水入り袋体４の上端部の引き手４２を上方に強く引っ張り上げる。
（２）　　筒型容器１の内底１１に固着している水入り袋体４の底部４１が切込み５から破れて水ｗが排出して内筒２の給水孔３から発煙剤６の充填層に供給されて浸透する。
（３）　　発煙剤６は酸化カルシウムと炭水化物粉体からなり、これに水入り袋体からの水ｗが加わることによって、２００°Ｃ以上の高温の煙発生作用が生じる。
（４）　　発生した煙の殆どは、水入り袋体４を抜き取った後の内筒２内を通って上昇して内筒開口２′から上方外部に放出される。残りは発煙剤６の充填層から上昇して外部に放出される。
【００１９】
「使用例２」
（１）　　筒型容器１から外蓋１１を取りはずして、孔開け針９をその上端部押し下げて先端部９１を前進させて水入り袋体４の底部近傍を突き刺すことによって水ｗが排出する。
（２）　　水入り袋体４の上端部の引き手４２を上方に強く引っ張り上げて抜き取る。ここの抜き取りの際に、孔開け針９が突き刺さっている水入り袋体の底部近傍が大きく裂けて水ｗの排出を促進し、内筒２の給水孔３から発煙剤６の充填層に供給されて浸透する。
（４）　　「使用例１」の（３）と同じ。
（５）　　「使用例１」の（４）と同じ。
【００２０】
【発明の効果】
本発明は上記の構成であるから、次の効果がある。すなわち、発煙剤として酸化カルシウムと水の反応によって生じる熱反応を利用してこれに発煙物質として小麦粉、澱粉、糖等の炭化水素物を混和して発煙を生じさせるものである。したがって、発煙物質として炭疽、水素、酸素の元素以外は含まれていないので、発生する煙は刺激が少なくなった結果、人体には殆ど無害である。
【００２１】
そして、発煙筒から発煙をするのに、水を発煙剤の充填層に浸透させてから１分後には発熱最高温度２７０°Ｃが得られ、且つ発熱温度が１５０°Ｃ以上では約５分程度持続し、確実に発煙機能が得られる。そして火を一切使わないので載置面を汚すこなく安全である。従って、標識を掲示しながら道路を走行して各種の作業を行う作業車から路上に投下して作業中であることを知らせるのに好適である。また、火事等に備える建物内での避難訓練において使用しても火を使わないので、火災や火傷の心配も除去される。
【００２２】
また、火を使わない発煙に欠かせない水を入れた袋体を内筒に収納しておき、必要時にその袋体上端部を強く引き抜くことによって、水入り袋体の切込み又は孔開け針の突き刺し部位から破れて水が発煙剤の充填層に確実に供給されて発煙作用が促進する効果がある。
【図面の簡単な説明】
【図１】本発明に係る火を使わない発煙筒の縦断面図である。
【図２】図１の平面図である。
【図３】図１の水入り袋体底部の拡大縦断面図である。
【図４】図１の変形例を示す縦断面図である。
【図５】図３の平面図である。
【符号の説明】
１　筒型容器
２　内筒
３　内筒にあけた給水孔
４　水入り袋体
５　切込み
６　酸化カルシウムに炭水化物粉体を混合してなる発煙剤
７　上蓋
８　上蓋にあけた水入り袋体用穴
９　孔開け針
１０　上蓋にあけた孔開け針用穴
１１　外蓋
【図１】
2004123447.tif 000003
【図２】
2004123447.tif 000004
【図３】
2004123447.tif 000005
【図４】
2004123447.tif 000006
【図５】
2004123447.tif 000007